(57)【要約】【課題】パネルの視認性を向上させることの可能な表示装置およびそれを備えた電子機器を提供する。【解決手段】映像表示面側の透明基板上に、粘着層、１／４λ板、粘着層、１／２λ板、粘着層および偏光板が液晶層側からこの順に設けられている。上記の粘着層のうち少なくとも１つの粘着層が、映像光の色味を環境光の照度に応じて変化させる変調層となっている。変調層は、紫外光の単位時間当たりの吸収量に応じて色が変化するフォトクロミック材料を含んでいる。【選択図】図１
2013003466.tif 000002
【特許請求の範囲】
【請求項１】
映像信号に応じて駆動される液晶層と、
前記液晶層を介して入射する環境光を前記液晶層側に反射する反射層と、
前記液晶層との関係で前記環境光の入射する側に配置された位相差層および偏光板と、
前記反射層で反射され、前記液晶層、前記位相差層および前記偏光板を介して外部に出射される映像光の色味を前記環境光の照度に応じて変化させる変調層と
を備えた
表示装置。
【請求項２】
前記変調層は、前記環境光の照度が相対的に大きくなると前記映像光がより青味を持った色となり、前記環境光の照度が相対的に小さくなると前記映像光がより黄色味を持った色となるように、前記映像光の色味を変化させるようになっている
請求項１に記載の表示装置。
【請求項３】
前記変調層は、前記環境光の照度が相対的に大きくなるとより青味を持った色となり、前記環境光の照度が相対的に小さくなると淡色化または無色化するようになっている
請求項２に記載の表示装置。
【請求項４】
前記変調層は、クロミック材料を含む
請求項２に記載の表示装置。
【請求項５】
前記変調層は、フォトクロミック材料を含み、
前記偏光板は、紫外線を透過する偏光板である
請求項４に記載の表示装置。
【請求項６】
前記変調層は、面内全体が単一の層からなる粘着層、または面内全体が単一の層からなる接着層である
請求項５に記載の表示装置。
【請求項７】
前記変調層に対して電圧を印加することの可能な電極と、
前記環境光の照度に応じた電圧を前記電極に印加する駆動回路と
をさらに備え、
前記変調層は、エレクトロクロミック材料を含む
請求項４に記載の表示装置。
【請求項８】
映像信号に応じて駆動される液晶層と、
前記液晶層を介して互いに対向配置された第１偏光板および第２偏光板と、
前記第１偏光板側から光を照射する照明装置と、
前記第１偏光板、前記液晶層、前記第２偏光板を介して外部に出射される映像光の色味を、前記第２偏光板側から入射する環境光の照度に応じて変化させる変調層と
を備えた
表示装置。
【請求項９】
前記変調層は、前記環境光の照度が相対的に大きくなると前記映像光がより黄色味を持った色となり、前記環境光の照度が相対的に小さくなると前記映像光がより青味を持った色となるように、前記映像光の色味を変化させるようになっている
請求項８に記載の表示装置。
【請求項１０】
前記変調層は、前記環境光の照度が相対的に大きくなると淡色化または無色化し、前記環境光の照度が相対的に小さくなるとより青色味を持った色となるようになっている
請求項９に記載の表示装置。
【請求項１１】
前記変調層は、前記環境光の照度が相対的に大きくなると青味の少ない色となり、前記環境光の照度が相対的に小さくなると青味の多い色となるように、前記映像光の色味を変化させるようになっている
請求項９に記載の表示装置。
【請求項１２】
前記変調層は、前記環境光の照度が相対的に大きくなると淡色化または無色化し、前記環境光の照度が相対的に小さくなるとより青色味を持った色となるようになっている
請求項１１に記載の表示装置。
【請求項１３】
前記変調層は、クロミック材料を含む
請求項９に記載の表示装置。
【請求項１４】
前記変調層は、フォトクロミック材料を含み、
前記偏光板は、紫外線を透過する偏光板である
請求項１３に記載の表示装置。
【請求項１５】
前記変調層は、面内全体が単一の層からなる粘着層、または面内全体が単一の層からなる接着層である
請求項１４に記載の表示装置。
【請求項１６】
前記変調層に対して電圧を印加することの可能な電極と、
前記環境光の照度に応じた電圧を前記電極に印加する駆動回路と
をさらに備え、
前記変調層は、エレクトロクロミック材料を含む
請求項１３に記載の表示装置。
【請求項１７】
表示装置を備え、
前記表示装置は、
映像信号に応じて駆動される液晶層と、
前記液晶層を介して入射する環境光を前記液晶層側に反射する反射層と、
前記液晶層との関係で前記環境光の入射する側に配置された位相差層および偏光板と、
前記反射層で反射され、前記液晶層、前記位相差層および前記偏光板を介して外部に出射される映像光の色味を前記環境光の照度に応じて変化させる変調層と
を有する
電子機器。
【請求項１８】
表示装置を備え、
前記表示装置は、
映像信号に応じて駆動される液晶層と、
前記液晶層を介して互いに対向配置された第１偏光板および第２偏光板と、
前記第１偏光板側から光を照射する照明装置と、
前記第１偏光板、前記液晶層、前記第２偏光板を介して外部に出射される映像光の色味を、前記第２偏光板側から入射する環境光の照度に応じて変化させる変調層と
を有する
電子機器。
【発明の詳細な説明】
【技術分野】
【０００１】
本技術は、透過型、反射型、または反射部と透過部とを兼ね備えた半透過型の表示装置に関する。また、本技術は、上記の表示装置を備えた電子機器に関する。
【背景技術】
【０００２】
近年、携帯電話や電子ペーパーなどのモバイル機器向けの表示装置の需要が高くなっている。モバイル機器向けの表示装置では、軽量化や小型化の観点から、バックライトが不要の反射型の表示装置が注目されている（例えば特許文献１参照。）。しかし、反射型の表示装置では、夜間や屋内などの暗所では使用できないことから、半透過型の表示装置や、透過型の表示装置がモバイル機器に実装されている例が多い。
【先行技術文献】
【特許文献】
【０００３】
【特許文献１】特許第２７７１３９２号
【発明の概要】
【発明が解決しようとする課題】
【０００４】
ところで、映像表示に際して、黄色い白は一般に好まれない。そのため、通常は、白色が青味を持つように、映像光の色味を調整することが行われている。しかし、反射型や半透過型の表示装置においては、色味と明るさがトレードオフの関係となっており、環境光が暗い場合には、パネルの視認性が低下するという問題があった。
【０００５】
図８は、色温度と反射率との関係の一例を表したものである。図９は、色温度と、反射率ＹおよびＹ比との関係を表したものである。図８、図９には、色温度６０６６Ｋがモノクロパネルの色味で、それに対してカラーフィルタやフィルム等の調整により、色温度を向上させたときの、反射率の変化が示されている。この結果から、例えば、色温度６０６６Ｋと、色温度６５３１Ｋとを比較すると、色温度６５３１Ｋの反射率は、色温度６０６６Ｋの反射率のおよそ２割減の値となっている。
【０００６】
また、透過型の表示装置においては、環境光が晴天下のように非常に明るい場合に、バックライト光の照度が十分でないときには、パネルの視認性が低下するという問題があった。
【０００７】
本技術はかかる問題点に鑑みてなされたもので、その目的は、パネルの視認性を向上させることの可能な表示装置およびそれを備えた電子機器を提供することにある。
【課題を解決するための手段】
【０００８】
本技術による第１の表示装置は、映像信号に応じて駆動される液晶層と、液晶層を介して入射する環境光を液晶層側に反射する反射層と、液晶層との関係で環境光の入射する側に配置された位相差層および偏光板とを備えている。第１の表示装置は、さらに、反射層で反射され、液晶層、位相差層および偏光板を介して外部に出射される映像光の色味を環境光の照度に応じて変化させる変調層を備えている。本技術による第１の電子機器は、上記の第１の表示装置を備えている。
【０００９】
本技術による第２の表示装置は、映像信号に応じて駆動される液晶層と、液晶層を介して互いに対向配置された第１偏光板および第２偏光板と、第１偏光板側から光を照射する照明装置とを備えている。第１の表示装置は、さらに、第１偏光板、液晶層、第２偏光板を介して外部に出射される映像光の色味を、第２偏光板側から入射する環境光の照度に応じて変化させる変調層を備えている。本技術による第２の電子機器は、上記の第２の表示装置を備えている。
【００１０】
本技術による第１および第２の表示装置ならびに第１および第２の電子機器では、映像光の色味が環境光の照度に応じて変化する。例えば、環境光の照度が相対的に大きくなると映像光が青味を持った色となり、環境光の照度が相対的に小さくなると映像光が黄色味を持った色となる。
【００１１】
このような映像光の色味の変化は、例えば、以下のようにして行うことが可能である。例えば、表示装置内のフィルムなどの樹脂材料が完全な無色透明ではなく、若干黄色味を持った色となっている場合には、変調層自身が、環境光の照度が相対的に大きくなると青味を持った色となり、環境光の照度が相対的に小さくなると淡色化または無色化（無色透明化）するように構成されていればよい。
【００１２】
変調層自身の色味の変化は、例えば、変調層にクロミック材料を含ませることにより実現可能である。例えば、変調層がフォトクロミック材料を含み、偏光板が紫外線を透過する偏光板となっている場合には、フォトクロミック材料が環境光に含まれる紫外線に反応して、変調層の色味を変化させることが可能である。また、例えば、変調層がエレクトロクロミック材料を含み、変調層に対して電流を印加することの可能な電極と、環境光の照度に応じた電流を電極に印加する駆動回路とが設けられている場合には、エレクトロクロミック材料に電流が印加されることにより、変調層の色味を変化させることが可能である。
【発明の効果】
【００１３】
本技術による第１および第２の表示装置ならびに第１および第２の電子機器によれば、環境光の照度が相対的に大きくなると映像光が青味を持った色となり、環境光の照度が相対的に小さくなると映像光が黄色味を持った色となるように、映像光の色味を変化させることができるようにしたので、環境光の照度が相対的に低下したときに、常に映像光に青味を持たせるようにした場合と比べて映像光を明るくすることができる。これにより、パネルの視認性を向上させることが可能である。なお、環境光の照度が相対的に低下したときには、ユーザは色味よりも、むしろ、映像を視認できるか否かの方に関心があり、本技術のように映像光に黄色味を持たせたとしても違和感を感じることはない。
【図面の簡単な説明】
【００１４】
【図１】本技術による第１の実施の形態に係る表示装置の構成の一例を表す断面図である。
【図２】図１の表示装置における環境光の照度と、変調層の色味との関係の一例を表す図である。
【図３】本技術による第２の実施の形態に係る表示装置の構成の一例を表す断面図である。
【図４】本技術による第３の実施の形態に係る表示装置の構成の一例を表す断面図である。
【図５】図４の表示装置における環境光の照度と、変調層の色味との関係の一例を表す図である。
【図６】本技術による第４の実施の形態に係る表示装置の構成の一例を表す断面図である。
【図７】一適用例に係る電子機器の構成の一例を表す斜視図である。
【図８】色温度と反射率との関係の一例を表す図である。
【図９】色温度とＹおよびＹ比との関係の一例を表す図である。
【発明を実施するための形態】
【００１５】
以下、発明を実施するための形態について、図面を参照して詳細に説明する。なお、説明は以下の順序で行う。
１．第１の実施の形態（表示装置）
反射型の表示装置にフォトクロミック材料を含む変調層が設けられている例
２．第２の実施の形態（表示装置）
反射型の表示装置にエレクトロクロミック材料を含む変調層が
設けられている例
３．第３の実施の形態（表示装置）
透過型の表示装置にフォトクロミック材料を含む変調層が設けられている例
４．第４の実施の形態（表示装置）
透過型の表示装置にエレクトロクロミック材料を含む変調層が
設けられている例
５．適用例（電子機器）
上記実施の形態に係る表示装置が電子機器に適用されている例
【００１６】
＜１．第１の実施の形態＞
[構成]
図１は、本技術による第１の実施の形態に係る表示装置１の断面構成の一例を表すものである。図１は模式的に表したものであり、実際の寸法、形状と同一とは限らない。なお、表示装置１が本技術の「表示装置」の一具体例に相当する。表示装置１は、反射型または半透過型の表示装置であり、例えば、図１に示したように、下側基板１０と、上側基板２０と、下側基板１０および上側基板２０の間に挟まれた液晶層３０と、下側基板１０を駆動する駆動回路（図示せず）とを備えている。なお、液晶層３０が本技術の「液晶層」の一具体例に相当する。
【００１７】
この表示装置１において、上側基板２０（例えば後述の偏光板３２）の上面が映像表示面となっており、下側基板１０の背後には、バックライトなどの光源は配置されていない。つまり、表示装置１は、映像表示面側から入射した光を反射することにより映像を表示する反射型の表示装置である。
【００１８】
（液晶層３０）
液晶層３０は、例えば、ネマティック（Nematic）液晶を含んで構成されている。液晶層３０は、映像信号に応じて駆動されるものであり、映像信号に応じた電圧が印加されることにより、液晶層に入射する光を画素ごとに透過または遮断する変調機能を有している。なお、液晶の光透過レベルを変えることにより画素ごとの階調が調整される。
【００１９】
（下側基板１０）
下側基板１０は、例えば、図１に示したように、ＴＦＴ（Thin Film Transistor）などが形成された駆動基板１１と、ＴＦＴなどを覆う絶縁層１２と、ＴＦＴなどと電気的に接続された反射電極層１３と、反射電極層１３の上面に形成された配向膜１４とを有している。なお、反射電極層１３が本技術の「反射層」の一具体例に相当する。
【００２０】
駆動基板１１は、例えば、ガラス基板などからなる透明基板上に、ＴＦＴや容量素子などを含んで構成された画素回路を有している。透明基板は、ガラス基板以外の材料で構成されていてもよく、例えば、透光性の樹脂基板や、石英、シリコン基板などで構成されていてもよい。
【００２１】
反射電極層１３は、上側基板２０側の透明電極層２２（後述）と共に液晶層３０を駆動するものであり、例えば、面内に２次元配置された複数の画素電極からなる。画素電極および透明電極層２２は、駆動回路によって電圧が印加されると、画素電極および透明電極層２２間の電位差に応じた電界を、画素電極と透明電極層２２の間に発生させ、その電界の大きさ応じて液晶層３０を駆動するようになっている。表示装置１のうち、画素電極と透明電極層２２とが互いに対向する部分に対応する部分が、画素電極および透明電極層２２間に印加される電圧によって液晶層３０を部分的に駆動することの可能な最小単位となっている。この最小単位が画素に相当する。また、反射電極層１３は、液晶層３０を介して入射する環境光を液晶層３０側に反射する反射層としての役割を有している。反射電極層１３は、可視光を反射する導電性材料からなり、例えば、Ａｇなどの金属材料からなる。反射電極層１３の表面は、例えば、鏡面となっている。
【００２２】
配向膜１４は、液晶層３０内の液晶分子を所定の方向に配向させるものであり、液層層３０と直接に接している。配向膜１４は、例えば、ポリイミドなどの高分子材料からなり、例えば、塗布したポリイミド等に対してラビング処理を施すことにより形成されたものである。
【００２３】
（上側基板２０）
上側基板２０は、例えば、図１に示したように、配向膜２１と、透明電極層２２と、オーバーコート（ＯＣ）層２３と、カラーフィルタ（ＣＦ）層２４と、透明基板２５とを液晶層３０側からこの順に有している。
【００２４】
配向膜２１は、液晶層３０内の液晶分子を所定の方向に配向させるものであり、液層層３０と直接に接している。配向膜２１は、例えば、ポリイミドなどの高分子材料からなり、例えば、塗布したポリイミド等に対してラビング処理を施すことにより形成されたものである。
【００２５】
透明電極層２２は、各画素電極と対向して配置されており、例えば、面内全体に形成されたシート状の電極である。透明電極層２２は、各画素電極と対向して配置されていることから、各画素における共通電極としての役割を有している。透明電極層２２は、環境光に対して透明な導電性材料で構成されており、例えば、ＩＴＯ（Indium Tin Oxide；酸化インジウムスズ））で構成されている。
【００２６】
ＯＣ層２３は、製造過程において透明電極層２２を形成する際の下地層として用いられる層である。ＣＦ層２４は、画素電極と対向する領域にカラーフィルタ２４Ａを有し、画素電極と非対向の領域に遮光膜２４Ｂを有している。カラーフィルタ２４Ａは、液晶層３０を過してきた光を、例えば、赤、緑および青の三原色にそれぞれ色分離するためのカラーフィルタを、画素に対応させて配列したものである。遮光膜２４Ｂは、例えば、可視光を吸収する機能を有している。遮光膜は、画素と画素の間に形成されている。透明基板２５は、環境光に対して透明な基板、例えば、ガラス基板などからなる。
【００２７】
上側基板２０は、透明基板２５の上面に、例えば、図１に示したように、粘着層２６と、１／４λ板２７と、粘着層２８と、１／２λ板２９と、粘着層３１と、偏光板３２とを液晶層３０側からこの順に有している。なお、１／４λ板２７および１／２λ板２９が本技術の「位相差層」の一具体例に相当する。また、偏光板３２が本技術の「偏光板」の一具体例に相当する。
【００２８】
粘着層２６は、例えば、透明基板２５と１／４λ板２７とを互いに貼り合わせるためのものであり、粘着材料を含んで構成されている。粘着層２８は、例えば、１／４λ板２７と１／２λ板２９とを互いに貼り合わせるためのものであり、粘着材料を含んで構成されている。粘着層３１は、例えば、１／２λ板２９と偏光板３２とを互いに貼り合わせるためのものであり、粘着材料を含んで構成されている。なお、上述の粘着層２６，２８，３１の代わりに、接着材料を含んで構成された接着層が設けられていてもよい。粘着層２６、粘着層２８および粘着層３１のうち少なくとも１つの層が、本技術の「変調層」の一具体例に相当する。また、上述の粘着層２６，２８，３１の代わりに、接着材料を含んで構成された接着層が設けられている場合には、粘着層２６の代わりに設けられた接着層、粘着層２８の代わりに設けられた接着層、および粘着層３１の代わりに設けられた接着層のうち少なくとも１つの層が、本技術の「変調層」の一具体例に相当する。つまり、変調層は、面内全体が単一の層からなる粘着層、または面内全体が単一の層からなる接着層である。なお、本技術の「変調層」の一具体例に相当する層（以下、単に「変調層」と称する。）についての説明は、後に詳述する。
【００２９】
１／４λ板２７は、例えば、一軸延伸樹脂フィルムである。そのリタデーションは、例えば、０．１４μｍであり、可視光のうち最も視感度が高い緑色光波長の約１／４に相当する。従って、１／４λ板２７は、偏光板３２側から入射してきた直線偏光光を円偏光に変換する機能を有している。１／２λ板２９は、例えば、ポリカーボネート樹脂の一軸延伸フィルムである。そのリタデーションは、例えば、０．２７μｍであり、可視光のうち最も視感度が高い緑色光波長の約１／２に相当する。ここで、１／４λ板２７および１／２λ板２９は、これら１／４λ板２７および１／２λ板２９全体として、偏光板３２側から入射してきた直線偏光光を円偏光に変換する機能を有しており、広範囲の波長に対して（広帯域の）円偏光板として機能する。
【００３０】
偏光板３２は、所定の直線偏光成分を吸収し、それ以外の偏光成分を透過する機能を有している。従って、偏光板３２は、外部から入射してきた外光を直線偏光に変換する機能を有している。偏光板３２は、紫外線を透過する偏光板であり、例えば、ＵＶカット機能を持たせていない偏光板であることが好ましい。
【００３１】
なお、必要に応じて、上側基板２０において透明基板２５の上方に１または複数の前方散乱板が設けられていてもよい。また、上側基板２０において透明基板２５の上方に前方散乱板が設けられていない場合には、例えば、反射電極層１３の表面が、光を散乱させる凹凸形状となっていてもよい。
【００３２】
（変調層）
次に、本実施の形態の要部である変調層について説明する。変調層は、反射電極層１３で反射され、液晶層３０、１／４λ板２７、１／２λ板２９および偏光板３２を介して外部に出射される映像光の色味を環境光の照度に応じて変化させるものである。変調層は、環境光の照度が相対的に大きくなると映像光が青味を持った色となり、環境光の照度が相対的に小さくなると映像光が黄色味を持った色となるように、映像光の色味を変化させるものである。
【００３３】
このような映像光の色味の変化は、例えば、以下のようにして行うことが可能である。例えば、表示装置１内のフィルムなどの樹脂材料が完全な無色透明ではなく、若干黄色味を持った色となっている場合には、変調層自身が、環境光の照度が相対的に大きくなると青味を持った色となり、環境光の照度が相対的に小さくなると淡色化または無色化（無色透明化）するように構成されている（図２参照）。
【００３４】
変調層は、例えば、クロミック材料の１種であるフォトクロミック材料を含んでいる。フォトクロミック材料は、例えば、紫外光の単位時間当たりの吸収量に応じて色が変化する材料であり、紫外光の単位時間当たりの吸収量が変化すればその変化に追随して色が変化する材料である。例えば、表示装置１内のフィルムなどの樹脂材料が完全な無色透明ではなく、若干黄色味を持った色となっている場合には、フォトクロミック材料は、紫外光の単位時間当たりの吸収量が相対的に大きくなると青味を持った色となり、紫外光の単位時間当たりの吸収量が相対的に小さくなると淡色化または無色化（無色透明化）する材料である。
【００３５】
[作用、効果]
次に、本実施の形態の表示装置１の作用、効果について説明する。
【００３６】
本実施の形態では、例えば、特定の方向から入射してきた環境光は、偏光板３２によって直線偏光に変換され、さらに１／２λ板２９および１／４λ板２７によって円偏光に変換されたのち、液晶層３０に入射する。液晶層３０に入射した光は、液晶層３０で映像信号に応じて変調されるとともに、反射電極層１３で反射される。反射電極層１３で反射された光は、１／４λ板２７および１／２λ板２９によって直線偏光に変換され、偏光板３２を透過して映像光として外部に射出される。
【００３７】
ところで、映像表示に際して、黄色い白は一般に好まれない。そのため、通常は、白色が青味がかるように、映像光の色味を調整することが行われている。しかし、反射型や半透過型の表示装置においては、色味と明るさがトレードオフの関係となっており、環境光が暗い場合には、パネルの視認性が低下するという問題があった。例えば、図８、図９に示したように、例えば、色温度６０６６Ｋと、色温度６５３１Ｋとを比較すると、色温度６５３１Ｋの反射率が、色温度６０６６Ｋの反射率のおよそ２割減の値となっている。
【００３８】
一方、本実施の形態では、映像光の色味が環境光の照度に応じて変化する。具体的には、環境光が変調層に入射し、環境光に含まれる紫外光が変調層内のフォトクロミック材料に吸収されると、変調層が、環境光の照度に応じた色味に変化する。これにより、変調層を透過した光（映像光）は、環境光の照度が相対的に大きくなると青味を持った色となり、環境光の照度が相対的に小さくなると黄色味を持った色となる。そのため、環境光の照度が相対的に低下したときに、常に映像光に青味を持たせるようにした場合と比べて映像光を明るくすることができる。その結果、パネルの視認性を向上させることができる。なお、環境光の照度が相対的に低下したときには、ユーザは色味よりも、むしろ、映像を視認できるか否かの方に関心があり、本実施の形態ように映像光に黄色味を持たせたとしても違和感を感じることはない。従って、本実施の形態では、ユーザに違和感を感じさせることなく、パネルの視認性を向上させることができる。
【００３９】
［変形例］
なお、上記とは異なる層が変調層となっていてもよい。例えば、ＯＣ層２３、または偏光板３２が変調層となっていてもよい。また、面内全体が複数の層からなっている層が変調層となっていてもおい。例えば、ＣＦ層２４（特にカラーフィルタ２４Ａ）が変調層となっていてもよい。
【００４０】
＜２．第２の実施の形態＞
[構成]
図３は、本技術による第２の実施の形態に係る表示装置２の断面構成の一例を表すものである。図３は模式的に表したものであり、実際の寸法、形状と同一とは限らない。なお、表示装置２が本技術の「表示装置」の一具体例に相当する。表示装置２は、反射型または半透過型の表示装置であり、例えば、図３に示したように、下側基板１０と、上側基板２０と、下側基板１０および上側基板２０の間に挟まれた液晶層３０とを備えている。表示装置２は、さらに、環境光を検出するとともに環境光の照度を示す信号を出力する光検出器４０と、反射電極層１３を駆動するとともに、後述の透明電極層３５を駆動する駆動回路（図示せず）とを備えている。
【００４１】
この表示装置２は、ＯＣ層２３の代わりに、電子輸送層３３、変調層３４および透明電極層３５が設けられており、さらに光検出器４０が設けられている点で、上記の表示装置１の構成と相違する。また、この表示装置２は、駆動回路が下側基板１０だけでなく透明電極層３５も駆動するようになっている点でも、上記の表示装置１の構成と相違する。そこで、以下では、上記の表示装置１の構成との相違点について主に説明し、上記の表示装置１の構成との共通点についての説明を適宜、省略するものとする。なお、上記の表示装置１の構成と共通する構成に対しては、同一の符号が付されている。
【００４２】
電子輸送層３３は、変調層３４への電子輸送効率を高める機能を有している。透明電極層３５は、変調層３４に対して電圧を印加することの可能な電極である。透明電極層３５は、透明電極層２２と共に変調層３４を駆動するものであり、例えば、面内全体に形成されたシート状の電極からなる。透明電極層３５および透明電極層２２は、駆動回路によって電圧が印加されると、透明電極層３５および透明電極層２２間の変調層３４に電流を流し、その電流の大きさおよび向きに応じて変調層３４の色味を変調するようになっている。
【００４３】
光検出器４０は、環境光を検出するものであり、例えば、フォトダイオードを含んで構成されている。光検出器４０は、例えば、表示装置２の映像表示面の近傍（例えばフレーム領域）に配置されており、環境光を検出すると、環境光の照度に対応した信号を出力するようになっている。駆動回路は、光検出器４０から出力された信号に基づいて、環境光の照度に応じた電圧を透明電極層３５（または透明電極層２２，３５）に印加するようになっている。駆動回路は、例えば、光検出器４０から出力された信号の変化に基づいて、環境光の照度の変化と相関（例えば比例）関係にある電圧を透明電極層３５（または透明電極層２２，３５）に印加するようになっている。
【００４４】
駆動回路は、光検出器４０から出力された信号の変化が環境光の照度の上昇を示している場合に、透明電極層２２がゼロボルトなどの定電圧となっているときには、例えば、正方向に変化する電圧を透明電極層３５に印加するようになっている。なお、「電圧が正方向に変化する」とは、例えば、電圧が当初０．３Ｖのときは電圧が０．３Ｖに０．１Ｖを加えた０．４Ｖに変化したり、電圧が当初−１Ｖのときは電圧が−１Ｖに２Ｖを加えた＋１Ｖに変化したりすることを指している。また、駆動回路は、光検出器４０から出力された信号の変化が環境光の照度の低下を示している場合に、透明電極層２２がゼロボルトなどの定電圧となっているときには、例えば、負方向に変化する電圧を透明電極層３５に印加するようになっている。なお、「電圧が負方向に変化する」とは、例えば、電圧が当初０．３Ｖのときは電圧が０．３Ｖから０．１Ｖを減じた０．２Ｖに変化したり、電圧が当初＋１Ｖのときは電圧が＋１Ｖから２Ｖを減じた−１Ｖに変化したりすることを指している。
【００４５】
なお、駆動回路が、光検出器４０から出力された信号の変化が環境光の照度の上昇を示している場合に、透明電極層２２がゼロボルトなどの定電圧となっているときには、例えば、負方向に変化する電圧を透明電極層３５に印加するようになっていてもよい。さらに、駆動回路が、光検出器４０から出力された信号の変化が環境光の照度の低下を示している場合に、透明電極層２２がゼロボルトなどの定電圧となっているときには、例えば、正方向に変化する電圧を透明電極層３５に印加するようになっていてもよい。
【００４６】
また、駆動回路が、光検出器４０から出力された信号の変化に基づいて、環境光の照度の変化と相関（例えば比例）関係にある電圧を透明電極層２２にも印加するようになっていてもよい。この場合には、駆動回路は、光検出器４０から出力された信号の変化が環境光の照度の上昇を示している場合には、例えば、透明電極層３５と透明電極層２２との電位差（Ｖ３５−Ｖ２２）が正方向に変化するように透明電極層２２，３５に電圧を印加するようになっている。なお、Ｖ３５は透明電極層３５の電圧であり、Ｖ２２は透明電極層２２の電圧である。また、「透明電極層３５と透明電極層２２との電位差が正方向に変化する」とは、例えば、電位差が当初＋０．３Ｖのときは電位差を＋０．３Ｖに０．１Ｖを加えた＋０．４Ｖにしたり、電位差が当初−１Ｖのときは電位差を−１Ｖに２Ｖを加えた＋１Ｖにしたりすることを指している。さらに、駆動回路は、光検出器４０から出力された信号の変化が環境光の照度の低下を示している場合には、例えば、透明電極層３５と透明電極層２２との電位差（Ｖ３５−Ｖ２２）が負方向に変化するように透明電極層２２，３５に電圧を印加するようになっている。なお、「透明電極層３５と透明電極層２２との電位差が負方向に変化する」とは、例えば、電位差が当初０．３Ｖのときは電位差を０．３Ｖから０．１Ｖを減じた０．２Ｖにしたり、電位差が当初＋１Ｖのときは電位差を＋１Ｖから２Ｖを減じた−１Ｖにしたりすることを指している。
【００４７】
なお、駆動回路が、光検出器４０から出力された信号の変化が環境光の照度の上昇を示している場合には、例えば、透明電極層３５と透明電極層２２との電位差が負方向に変化するように透明電極層２２，３５に電圧を印加するようになっていてもよい。また、駆動回路は、光検出器４０から出力された信号の変化が環境光の照度の低下を示している場合には、例えば、透明電極層３５と透明電極層２２との電位差が正方向に変化するように透明電極層２２，３５に電圧を印加するようになっていてもよい。以上のようにして、駆動回路は、変調層３４に流れる電流の大きさおよび向きを変化させることにより変調層３４の色味を変調するようになっている。
【００４８】
変調層３４は、面内全体が単一の層で構成されたものである。変調層３４は、当該変調層３４に対して電流が透明電極層２２側から透明電極層３５に向かって流れており、かつその電流値が徐々に大きくなる場合には、例えば、映像光がより青味を持った色となるように映像光の色味を変化させるものである。また、変調層３４は、当該変調層３４に対して電流が透明電極層３５側から透明電極層２２に向かって流れており、かつその電流値が徐々に小さくなる場合にも、例えば、映像光がより青味を持った色となるように映像光の色味を変化させるものである。さらに、変調層３４は、当該変調層３４に対して電流が透明電極層２２側から透明電極層３５に向かって流れており、かつその電流値が徐々に小さくなる場合には、例えば、映像光がより黄色味を持った色となるように映像光の色味を変化させるものである。また、変調層３４は、当該変調層３４に対して電流が透明電極層３５側から透明電極層２２に向かって流れており、かつその電流値が徐々に大きくなる場合にも、例えば、映像光がより黄色味を持った色となるように映像光の色味を変化させるものである。
【００４９】
ここで、変調層３４に印加される電流の大きさおよび向きは、環境光の照度と相関（例えば、比例または反比例）関係にある。従って、変調層３４は、映像光の色味を環境光の照度に応じて変化させるものである。より具体的には、変調層３４は、環境光の照度が相対的に大きくなると映像光がより青味を持った色となり、環境光の照度が相対的に小さくなると映像光がより黄色味を持った色となるように、映像光の色味を変化させるようになっている。
【００５０】
このような映像光の色味の変化は、例えば、以下のようにして行うことが可能である。例えば、表示装置２内のフィルムなどの樹脂材料が完全な無色透明ではなく、若干黄色味を持った色となっている場合には、変調層自身が、環境光の照度が相対的に大きくなるとより青味を持った色となり、環境光の照度が相対的に小さくなると淡色化または無色化（無色透明化）するように構成されている（図２参照）。
【００５１】
変調層３４は、例えば、クロミック材料の１種であるエレクトロクロミック材料を含んでいる。エレクトロクロミック材料は、例えば、印加される電流の大きさおよび向きに応じて色が変化する材料であり、印加される電流の大きさまたは向きが経時的に変化すればその変化に追随して色が変化する材料である。
【００５２】
例えば、表示装置２内のフィルムなどの樹脂材料が完全な無色透明ではなく、若干黄色味を持った色となっている場合には、エレクトロクロミック材料は、透明電極層２２側から透明電極層３５側へ流れる電流の大きさが相対的に大きくなったり、透明電極層３５側から透明電極層２２側へ流れる電流の大きさが相対的に小さくなったりするとより青味を持った色となる材料である。さらに、この場合に、エレクトロクロミック材料は、透明電極層２２側から透明電極層３５側へ流れる電流の大きさが相対的に小さくなったり、透明電極層３５側から透明電極層２２側へ流れる電流の大きさが相対的に大きくなったりすると淡色化または無色化（無色透明化）する材料である。
【００５３】
[作用、効果]
次に、本実施の形態の表示装置２の作用、効果について説明する。
【００５４】
本実施の形態では、例えば、特定の方向から入射してきた環境光は、偏光板３２によって直線偏光に変換され、さらに１／２λ板２９および１／４λ板２７によって円偏光に変換されたのち、液晶層３０に入射する。液晶層３０に入射した光は、液晶層３０で映像信号に応じて変調されるとともに、反射電極層１３で反射される。反射電極層１３で反射された光は、１／４λ板２７および１／２λ板２９によって直線偏光に変換され、偏光板３２を透過して映像光として外部に射出される。
【００５５】
ところで、本実施の形態では、映像光の色味が環境光の照度に応じて変化する。具体的には、光検出器４０で環境光が検出され、それによって光検出器４０から、環境光の照度に対応した信号が駆動回路に出力されると、環境光の照度と相関（例えば比例または反比例）関係にある電圧が駆動回路から透明電極層３５（または透明電極層２２，３５）に印加される。これにより、変調層３４が、環境光の照度に応じた色味に変化する。
【００５６】
例えば、表示装置２内のフィルムなどの樹脂材料が完全な無色透明ではなく、若干黄色味を持った色となっている場合には、変調層３４は、環境光の照度が相対的に大きくなるとより青味を持った色となり、環境光の照度が相対的に低下すると淡色化または無色化（無色透明化）する。
【００５７】
これにより、常に映像光に青味を持たせるように、青味を持ったフィルムを用いた場合と比べて、環境光の照度が相対的に低下したときに、映像光を明るくすることができる。その結果、パネルの視認性を向上させることができる。なお、環境光の照度が相対的に低下したときには、ユーザは色味よりも、むしろ、映像を視認できるか否かの方に関心があり、本実施の形態ように映像光に黄色味を持たせたとしても違和感を感じることはない。従って、本実施の形態では、ユーザに違和感を感じさせることなく、パネルの視認性を向上させることができる。
【００５８】
［変形例］
なお、上記とは異なる位置に変調層３４が配置されていてもよい。ただし、その場合には、変調層３４に電圧を印加することの可能な構成となっていることが必要である。
【００５９】
＜３．第３の実施の形態＞
[構成]
図４は、本技術による第３の実施の形態に係る表示装置３の断面構成の一例を表すものである。図４は模式的に表したものであり、実際の寸法、形状と同一とは限らない。なお、表示装置３が本技術の「表示装置」の一具体例に相当する。表示装置３は、透過型の表示装置であり、例えば、図４に示したように、下側基板１０の背後に、照明装置５０を備えている。照明装置５０は、例えば、導光板と、導光板の側面に配置した光源と、導光板の背後に配置した反射板とを有している。なお、照明装置５０は、上述したようなサイドエッジ型に限られるものではなく、直下型であってもよい。
【００６０】
表示装置３は、上記第１の実施の形態と同様、下側基板１０と、上側基板２０と、下側基板１０および上側基板２０の間に挟まれた液晶層３０と、後述の透明電極層１６を駆動する駆動回路（図示せず）とを備えている。本実施の形態において、下側基板１０は、第１の実施の形態の下側基板１０の構成において、駆動基板１１の代わりに透明基板１５を設け、反射電極層１３の代わりに透明電極層１６を設け、さらに、透明基板１５の裏面に偏光板１７を設けたものである。また、本実施の形態において、上側基板２０は、第１の実施の形態の上側基板２０の構成において、１／４λ板２７、粘着層２８、１／２λ板２９、粘着層３１および偏光板３１の代わりに、偏光板３６を設けたものである。
【００６１】
透明基板１５は、ガラス基板などからなる。透明電極層１６は、透明電極層２２と共に液晶層３０を駆動するものであり、例えば、面内に２次元配置された複数の画素電極からなる。画素電極および透明電極層２２は、駆動回路によって電圧が印加されると、画素電極および透明電極層２２間の電位差に応じた電界を、画素電極と透明電極層２２の間に発生させ、その電界の大きさ応じて液晶層３０を駆動するようになっている。表示装置３のうち、画素電極と透明電極層２２とが互いに対向する部分に対応する部分が、画素電極および透明電極層２２間に印加される電圧によって液晶層３０を部分的に駆動することの可能な最小単位となっている。この最小単位が画素に相当する。透明基板１５は、透明電極層２２と同様、環境光に対して透明な導電性材料で構成されており、例えば、ＩＴＯで構成されている。
【００６２】
偏光板１７，３６は、偏光板３２と同様、ある一定の振動方向の光（偏光）のみを通過させるものである。偏光板１７および偏光板３２はそれぞれ、偏光軸が互いに９０度異なるように配置されており、これにより照明装置５０からの射出光が液晶層３０を介して透過し、あるいは遮断されるようになっている。偏光板１７および偏光板３２は、紫外線を透過する偏光板であり、例えば、ＵＶカット機能を持たせていない偏光板であることが好ましい。
【００６３】
（変調層）
次に、本実施の形態の要部である変調層について説明する。本実施の形態において、変調層は、粘着層２６、または粘着層２６の代わりに設けられた接着層である。つまり、変調層は、上記第１の実施の形態と同様、面内全体が単一の層からなる粘着層、または面内全体が単一の層からなる接着層である。変調層は、照明装置５０から出射され、偏光板１７、液晶層３０および偏光板３６を介して外部に出射される映像光の色味を環境光の照度に応じて変化させるものである。変調層は、例えば、環境光の照度が相対的に大きくなると映像光が黄色味を持った色となり、環境光の照度が相対的に小さくなると映像光が青味を持った色となるように、映像光の色味を変化させるものである。
【００６４】
このような映像光の色味の変化は、例えば、以下のようにして行うことが可能である。例えば、表示装置３内のフィルムなどの樹脂材料が完全な無色透明ではなく、若干黄色味を持った色となっている場合には、変調層自身が、環境光の照度が相対的に大きくなると淡色化または無色化（無色透明化）し、環境光の照度が相対的に小さくなると青味を持つように構成されている（図５参照）。
【００６５】
なお、表示装置３内のフィルムなどの樹脂材料が完全な無色透明ではなく、若干青味を持った色となっている場合にも、変調層自身が、環境光の照度が相対的に大きくなると淡色化または無色化（無色透明化）し、環境光の照度が相対的に小さくなると青味を持った色となるように構成されていることが好ましい。ただし、その場合には、環境光の照度が相対的に大きくなると映像光の青味が少なくなり、環境光の照度が相対的に小さくなると映像光の青味が多くなる。つまり、この場合には、変調層３４は、環境光の照度が相対的に大きくなると青味の少ない色となり、環境光の照度が相対的に小さくなると青味の多い色となるように、映像光の色味を変化させるようになっている。
【００６６】
変調層は、例えば、クロミック材料の１種であるフォトクロミック材料を含んでいる。例えば、表示装置３内のフィルムなどの樹脂材料が完全な無色透明ではなく、若干黄色味を持った色となっている場合には、フォトクロミック材料は、紫外光の単位時間当たりの吸収量が相対的に大きくなると淡色化または無色化（無色透明化）し、紫外光の単位時間当たりの吸収量が相対的に小さくなると青味を持った色となる材料である。また、例えば、表示装置３内のフィルムなどの樹脂材料が完全な無色透明ではなく、若干青味を持った色となっている場合にも、フォトクロミック材料は、紫外光の単位時間当たりの吸収量が相対的に大きくなると淡色化または無色化（無色透明化）し、紫外光の単位時間当たりの吸収量が相対的に小さくなると青味を持った色となる材料である。
【００６７】
[作用、効果]
次に、本実施の形態の表示装置３の作用、効果について説明する。
【００６８】
本実施の形態では、照明装置５０から出射され、偏光板１７に入射してきた照明光は、偏光板３２によって直線偏光に変換されたのち、液晶層３０に入射する。液晶層３０に入射した光は、液晶層３０で映像信号に応じて変調され、偏光板３６を透過して映像光として外部に射出される。
【００６９】
ところで、本実施の形態では、映像光の色味が環境光の照度に応じて変化する。具体的には、環境光が変調層に入射し、環境光に含まれる紫外光が変調層内のフォトクロミック材料に吸収されると、変調層が、環境光の照度に応じた色味に変化する。具体的には、変調層が、環境光の照度が相対的に大きいときに光透過率が相対的に大きくなるような色味に変化する。これにより、環境光の照度が極めて明るい場合に、環境光の照度が小さな場合よりも映像光の輝度を大きくすることができる。つまり、照明装置５０から出射される光の強度を変化させなくても、環境光の照度が極めて明るい場合に、環境光の照度が小さな場合よりも映像光の輝度を大きくすることができる。その結果、パネルの視認性を向上させることができる。なお、環境光の照度が極めて明るいときには、ユーザは色味よりも、むしろ、映像を視認できるか否かの方に関心があり、本実施の形態ように映像光に黄色味を持たせたとしても違和感を感じることはない。従って、本実施の形態では、ユーザに違和感を感じさせることなく、パネルの視認性を向上させることができる。
【００７０】
［変形例］
なお、上記とは異なる層が変調層となっていてもよい。例えば、ＯＣ層２３、または偏光板３６が変調層となっていてもよい。また、面内全体が複数の層からなっている層が変調層となっていてもおい。例えば、ＣＦ層２４（特にカラーフィルタ２４Ａ）が変調層となっていてもよい。
【００７１】
＜４．第４の実施の形態＞
[構成]
図６は、本技術による第４の実施の形態に係る表示装置４の断面構成の一例を表すものである。図６は模式的に表したものであり、実際の寸法、形状と同一とは限らない。なお、表示装置４が本技術の「表示装置」の一具体例に相当する。表示装置４は、透過型の表示装置であり、例えば、図６に示したように、下側基板１０の背後に、照明装置５０を備えている。
【００７２】
表示装置４は、下側基板１０と、上側基板２０と、液晶層３０と、光検出器４０と、透明電極層１６，３５を駆動する駆動回路（図示せず）とを備えている。本実施の形態において、下側基板１０は、上記第３の実施の形態の下側基板１０と同一の構成を有している。また、本実施の形態において、上側基板２０は、上記第３の実施の形態の上側基板２０の構成において、透明電極層２２とＯＣ層２３との間に、電子輸送層３３、変調層３４および透明電極層３５を液晶層３０側からこの順に設けたものである。また、本実施の形態において、駆動回路は、上記第２の実施の形態の駆動回路と同様の方法で透明電極層３５（または透明電極層２２，３５）駆動するようになっている。具体的には、駆動回路は、光検出器４０から出力された信号に基づいて、環境光の照度に応じた電圧を透明電極層３５（または透明電極層２２，３５）に印加するようになっている。駆動回路は、例えば、光検出器４０から出力された信号の変化に基づいて、環境光の照度の変化と相関（例えば比例）関係にある電圧を透明電極層３５（または透明電極層２２，３５）に印加するようになっている。
【００７３】
（変調層）
次に、本実施の形態の要部である変調層について説明する。本実施の形態において、変調層３４は、当該変調層３４に対して電流が透明電極層２２側から透明電極層３５に向かって流れており、かつその電流値が徐々に大きくなる場合には、例えば、映像光がより青味を持った色となるように映像光の色味を変化させるものである。また、変調層３４は、当該変調層３４に対して電流が透明電極層３５側から透明電極層２２に向かって流れており、かつその電流値が徐々に小さくなる場合にも、例えば、映像光がより青味を持った色となるように映像光の色味を変化させるものである。さらに、変調層３４は、当該変調層３４に対して電流が透明電極層２２側から透明電極層３５に向かって流れており、かつその電流値が徐々に小さくなる場合には、例えば、映像光がより黄色味を持った色となるように映像光の色味を変化させるものである。また、変調層３４は、当該変調層３４に対して電流が透明電極層３５側から透明電極層２２に向かって流れており、かつその電流値が徐々に大きくなる場合にも、例えば、映像光がより黄色味を持った色となるように映像光の色味を変化させるものである。
【００７４】
ここで、変調層３４に印加される電流の大きさおよび向きは、環境光の照度と相関（例えば、比例または反比例）関係にある。従って、変調層３４は、映像光の色味を環境光の照度に応じて変化させるものである。より具体的には、変調層３４は、環境光の照度が相対的に大きくなると映像光がより黄色味を持った色となり、環境光の照度が相対的に小さくなると映像光がより青味を持った色となるように、映像光の色味を変化させるようになっている。
【００７５】
このような映像光の色味の変化は、例えば、以下のようにして行うことが可能である。例えば、表示装置４内のフィルムなどの樹脂材料が完全な無色透明ではなく、若干黄色味を持った色となっている場合には、変調層３４自身が、環境光の照度が相対的に大きくなるとより淡色化または無色化（無色透明化）し、環境光の照度が相対的に小さくなると青味を持つように構成されている（図５参照）。
【００７６】
なお、表示装置４内のフィルムなどの樹脂材料が完全な無色透明ではなく、若干青味を持った色となっている場合にも、変調層３４自身が、環境光の照度が相対的に大きくなると淡色化または無色化（無色透明化）し、環境光の照度が相対的に小さくなると青味を持った色となるように構成されていることが好ましい。ただし、その場合には、環境光の照度が相対的に大きくなると映像光の青味が少なくなり、環境光の照度が相対的に小さくなると映像光の青味が多くなる。つまり、この場合には、変調層３４は、環境光の照度が相対的に大きくなると青味の少ない色となり、環境光の照度が相対的に小さくなると青味の多い色となるように、映像光の色味を変化させるようになっている。
【００７７】
[作用、効果]
次に、本実施の形態の表示装置４の作用、効果について説明する。
【００７８】
本実施の形態では、照明装置５０から出射され、偏光板１７に入射してきた照明光は、偏光板３２によって直線偏光に変換されたのち、液晶層３０に入射する。液晶層３０に入射した光は、液晶層３０で映像信号に応じて変調され、偏光板３６を透過して映像光として外部に射出される。
【００７９】
ところで、本実施の形態では、映像光の色味が環境光の照度に応じて変化する。具体的には、光検出器４０で環境光が検出され、それによって光検出器４０から、環境光の照度に対応した信号が駆動回路に出力されると、環境光の照度と相関（例えば比例または反比例）関係にある電圧が駆動回路から透明電極層３５（または透明電極層２２，３５）に印加される。これにより、変調層３４が、環境光の照度に応じた色味に変化する。
【００８０】
例えば、表示装置４内のフィルムなどの樹脂材料が完全な無色透明ではなく、若干黄色味を持った色となっている場合には、変調層３４は、環境光の照度が相対的に大きくなると淡色化または無色化（無色透明化）し、環境光の照度が相対的に小さくなるとより青味を持った色となる。また、例えば、表示装置４内のフィルムなどの樹脂材料が完全な無色透明ではなく、若干青味を持った色となっている場合にも、変調層３４は、環境光の照度が相対的に大きくなると淡色化または無色化（無色透明化）し、環境光の照度が相対的に小さくなるとより青味を持った色となる。
【００８１】
これにより、環境光の照度が極めて明るい場合に、環境光の照度が小さな場合よりも映像光の輝度を大きくすることができる。つまり、照明装置５０から出射される光の強度を変化させなくても、環境光の照度が極めて明るい場合に、環境光の照度が小さな場合よりも映像光の輝度を大きくすることができる。その結果、パネルの視認性を向上させることができる。なお、環境光の照度が極めて明るいときには、ユーザは色味よりも、むしろ、映像を視認できるか否かの方に関心があり、本実施の形態ように映像光に黄色味を持たせたとしても違和感を感じることはない。従って、本実施の形態では、ユーザに違和感を感じさせることなく、パネルの視認性を向上させることができる。
【００８２】
［変形例］
なお、上記とは異なる位置に変調層３４が配置されていてもよい。ただし、その場合には、変調層３４に電圧を印加することの可能な構成となっていることが必要である。
【００８３】
＜５．適用例＞
次に、上記実施の形態およびその変形例に係る表示装置１の一適用例について説明する。図７は、本適用例に係る電子機器１００の概略構成の一例を表す斜視図である。電子機器１００は、携帯電話機であり、例えば、図７に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００８４】
表示装置１１３は、上記実施の形態およびその変形例に係る表示装置１〜４のうちの１つの表示装置と同一の構成を備えている。これにより、表示装置１１３において、視認性の高い映像を表示することができる。
【００８５】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００８６】
また、例えば、本技術は以下のような構成を取ることができる。
（１）
映像信号に応じて駆動される液晶層と、
前記液晶層を介して入射する環境光を前記液晶層側に反射する反射層と、
前記液晶層との関係で前記環境光の入射する側に配置された位相差層および偏光板と、
前記反射層で反射され、前記液晶層、前記位相差層および前記偏光板を介して外部に出射される映像光の色味を前記環境光の照度に応じて変化させる変調層と
を備えた
表示装置。
（２）
前記変調層は、前記環境光の照度が相対的に大きくなると前記映像光がより青味を持った色となり、前記環境光の照度が相対的に小さくなると前記映像光がより黄色味を持った色となるように、前記映像光の色味を変化させるようになっている
（１）に記載の表示装置。
（３）
前記変調層は、前記環境光の照度が相対的に大きくなるとより青味を持った色となり、前記環境光の照度が相対的に小さくなると淡色化または無色化（無色透明化）するようになっている
（２）に記載の表示装置。
（４）
前記変調層は、クロミック材料を含む
（２）または（３）に記載の表示装置。
（５）
前記変調層は、フォトクロミック材料を含み、
前記偏光板は、紫外線を透過する偏光板である
（４）に記載の表示装置。
（６）
前記変調層は、面内全体が単一の層からなる粘着層、または面内全体が単一の層からなる接着層である
（５）に記載の表示装置。
（７）
前記変調層に対して電圧を印加することの可能な電極と、
前記環境光の照度に応じた電圧を前記電極に印加する駆動回路と
をさらに備え、
前記変調層は、エレクトロクロミック材料を含む
（４）に記載の表示装置。
（８）
映像信号に応じて駆動される液晶層と、
前記液晶層を介して互いに対向配置された第１偏光板および第２偏光板と、
前記第１偏光板側から光を照射する照明装置と、
前記第１偏光板、前記液晶層、前記第２偏光板を介して外部に出射される映像光の色味を、前記第２偏光板側から入射する環境光の照度に応じて変化させる変調層と
を備えた
表示装置。
（９）
前記変調層は、前記環境光の照度が相対的に大きくなると前記映像光がより黄色味を持った色となり、前記環境光の照度が相対的に小さくなると前記映像光がより青味を持った色となるように、前記映像光の色味を変化させるようになっている
（８）に記載の表示装置。
（１０）
前記変調層は、前記環境光の照度が相対的に大きくなると淡色化または無色化（無色透明化）し、前記環境光の照度が相対的に小さくなるとより青色味を持った色となるようになっている
（９）に記載の表示装置。
（１１）
前記変調層は、前記環境光の照度が相対的に大きくなると青味の少ない色となり、前記環境光の照度が相対的に小さくなると青味の多い色となるように、前記映像光の色味を変化させるようになっている
（９）に記載の表示装置。
（１２）
前記変調層は、前記環境光の照度が相対的に大きくなると淡色化または無色化（無色透明化）し、前記環境光の照度が相対的に小さくなるとより青色味を持った色となるようになっている
（１１）に記載の表示装置。
（１３）
前記変調層は、クロミック材料を含む
（９）ないし（１２）のいずれか１つに記載の表示装置。
（１４）
前記変調層は、フォトクロミック材料を含み、
前記偏光板は、紫外線を透過する偏光板である
（１３）に記載の表示装置。
（１５）
前記変調層は、面内全体が単一の層からなる粘着層、または面内全体が単一の層からなる接着層である
（１４）に記載の表示装置。
（１６）
前記変調層に対して電圧を印加することの可能な電極と、
前記環境光の照度に応じた電圧を前記電極に印加する駆動回路と
をさらに備え、
前記変調層は、エレクトロクロミック材料を含む
（１３）に記載の表示装置。
（１７）
表示装置を備え、
前記表示装置は、
映像信号に応じて駆動される液晶層と、
前記液晶層を介して入射する環境光を前記液晶層側に反射する反射層と、
前記液晶層との関係で前記環境光の入射する側に配置された位相差層および偏光板と、
前記反射層で反射され、前記液晶層、前記位相差層および前記偏光板を介して外部に出射される映像光の色味を前記環境光の照度に応じて変化させる変調層と
を有する
電子機器。
（１８）
表示装置を備え、
前記表示装置は、
映像信号に応じて駆動される液晶層と、
前記液晶層を介して互いに対向配置された第１偏光板および第２偏光板と、
前記第１偏光板側から光を照射する照明装置と、
前記第１偏光板、前記液晶層、前記第２偏光板を介して外部に出射される映像光の色味を、前記第２偏光板側から入射する環境光の照度に応じて変化させる変調層と
を有する
電子機器。
【符号の説明】
【００８７】
１，２，３，４…表示装置、１０…下側基板、１１…駆動基板、１２…絶縁層、１３…反射電極層、１４，２１…配向膜、１６，２２，３５…透明電極層、１７，３２，３６…偏光板、２０…上側基板、２３…ＯＣ層、２４…ＣＦ層、２４Ａ…カラーフィルタ、２４Ｂ…遮光膜、２５…透明基板、２６，２８，３１…粘着層、２７…１／４λ板、２９…１／２λ板、３０…液晶層、３３…電子輸送層、３４…変調層、４０…検出器、５０…照明装置、１００…電子機器、１１１…本体部、１１２…表示体部、１１３…表示装置、１１４…表示画面、１１５…操作ボタン、１１６…送話部、１１７…受話部。
【図１】
2013003466.tif 000003
【図２】
2013003466.tif 000004
【図３】
2013003466.tif 000005
【図４】
2013003466.tif 000006
【図５】
2013003466.tif 000007
【図６】
2013003466.tif 000008
【図７】
2013003466.tif 000009
【図８】
2013003466.tif 000010
【図９】
2013003466.tif 000011